(57)【要約】【課題】受信フレーム内の特定領域にビット誤りが発生したのか又は外部からの雑音に起因してビット誤りが発生しただけなのかを識別する。【解決手段】本発明に係るビット誤り測定システムによれば、測定対象から入力されたフレームに含まれるデータ列のビット数をカウントし、当該カウント数がフレーム内のビット数に一致するごとにフレームパルス信号を出力するフレームパルス作成部３Ａ１と、フレーム内のデータ列に含まれるビット誤りを検出し、当該ビット誤りを検出した場合に、誤りパルス信号を出力するビット誤り検出部３Ｂ１と、フレームパルス信号をトリガとして、誤りパルス信号を表示する信号表示装置４Ａ１とを備えて構成する。【選択図】　　図１
2004128981.tif 000002
【特許請求の範囲】
【請求項１】
測定対象のデジタル無線通信装置（１）から入力されたフレームに含まれるデータ列のビット誤りを測定するビット誤り測定システム（４）において、
前記測定対象から入力されたフレームに含まれるデータ列のビット数をカウントし、所定のビット数に一致するごとにフレームパルス信号を出力するフレームパルス作成手段（３Ａ）と、前記測定対象から入力されたフレームに含まれるデータ列のビット誤りを検出し、当該ビット誤りを検出するごとに、誤りパルス信号を出力するビット誤り検出手段（３Ｂ）とを備えたビット誤り測定装置（３）と、
前記フレームパルス信号と、前記誤りパルス信号とを関連付けて表示する信号表示装置（４Ａ）と
を備えたことを特徴とするビット誤り測定システム。
【請求項２】
前記フレームパルス作成手段は、
前記測定対象から入力されたフレームに含まれるデータ列のビット数をカウントし、当該カウント数が前記測定対象が用いているデジタル無線通信方式が定める１フレーム内のビット数に一致するごとにフレームパルス信号を出力することを特徴とする請求項１記載のビット誤り測定システム。
【請求項３】
前記フレームパルス作成手段は、
前記測定対象から入力されたフレームに含まれるデータ列のビット数をカウントする開始位置を特定するためのパルス信号を受け取り、当該開始位置からビット数をカウントし、当該カウント数が前記フレーム内の所定のビット数に一致するごとにフレームパルス信号を出力することを特徴とする請求項１記載のビット誤り測定システム。
【請求項４】
前記信号表示装置は、
前記各フレームパルス信号と前記各誤りパルス信号との発生タイミングを関連付けて表示することを特徴とする請求項１又は請求項２に記載のビット誤り測定システム。
【請求項５】
前記ビット誤り検出手段から出力される誤りパルス信号を、前記フレーム内の各ビットに対応するように分配する分配手段（３Ｈ）と、
前記分配手段で分配されたそれぞれの誤りパルス信号を計数するための各ビットごとに対応して設けられ、かつ、前記各ビットごとの前記誤りパルス信号の計数値を出力するカウンタ（３Ｉ０〜３Ｉｎ）とを備え、
前記信号表示装置は、
前記それぞれのカウンタの計数値を受け、前記フレームパルス信号と前記フレーム内の各ビットに対応する前記計数値とを関連付けて表示することを特徴とする請求項４記載のビット誤り測定システム。
【請求項６】
前記フレームパルス作成手段が出力するフレームパルス信号と、前記ビット誤り検出手段が出力する誤りパルス信号とに基づいて、前記フレームごとのビット誤り率を算出するビット誤り率算出手段（３Ｅ）を備え、
前記信号表示装置は、
前記各フレームパルス信号と前記各誤りパルス信号とを関連付けて、かつ、前記誤りパルス信号を前記フレームごとのビット誤り率の値に対応して表示することを特徴とする請求項１ないし請求項３の何れか１項に記載のビット誤り測定システム。
【発明の詳細な説明】
【０００１】
【発明の属する技術分野】
本発明は、デジタル無線通信装置の性能試験に用いられるビット誤り測定システムに関する。
【０００２】
【従来の技術】
近年、高度情報化社会の到来に伴い、各種のデジタル無線通信装置が普及している。これらのデジタル無線通信装置では、受信性能を表す一般的な指標として、ビット誤り率がよく用いられる。
【０００３】
ビット誤り率を測定する手段としては、データ部分にＰＮ符号を用いた試験信号を、測定対象のデジタル無線通信装置で受信し、受信したデータ列をビット誤り率測定装置に入力し、当該ビット誤り率測定装置を用いて受信したデータ部分の誤り率を測定する手段が主に用いられる。
【０００４】
一般的なデジタル無線通信では、送信データにヘッダ情報及びＦＣＳ等を付加したフレームを送信する。これらの付加された部分は、各デジタル無線通信方式により異なるので、デジタル無線通信装置は、受信したフレーム内のデータ部分のみをビット誤り率測定装置に出力し、ビット誤り率測定装置がフレーム構造によらずに、ビット誤り率を測定できるようにされている。
【０００５】
すなわち、従来におけるビット誤り率の測定は、フレーム内の位置によってビット誤りの発生の頻度が均一であると仮定して行われている。
【０００６】
【発明が解決しようとする課題】
しかしながら、実際のデジタル無線通信装置では、フレーム内の位置によってビット誤りの発生の頻度が異なっている。
【０００７】
例えば、バースト信号を用いたデジタル無線通信方式の場合、フレームの立ち上がり時や立下り時に、特にビット誤りが発生しやすい。
【０００８】
従って、従来のビット誤り率の測定手法では、ビット誤りが検出された際、フレーム内の特定領域にビット誤りが発生したのか又はフレーム内の位置に関係しないランダムな雑音に起因するビット誤りが発生したのかの識別が難しいという問題がある。
【０００９】
そこで、本発明は、上記事情に考慮してなされたもので、フレーム内の特定領域にビット誤りが発生したのか又は外部からの影響に起因してビット誤りが発生しただけなのかを識別することを可能にする、ビット誤り測定システムを提供することを目的とする。
【００１０】
【課題を解決するための手段】
本発明の主旨は、フレーム周期に同期して当該フレームに含まれるビット誤りを検出する構成により、フレーム周期内で誤りが周期的に発生したのか否かによって、ビット誤りがフレーム等に関係する周期的な原因によるものか否かを識別することを可能にするという効果を達成することにある。
【００１１】
さて、以上のような本発明の主旨は、具体的には以下のような手段を講じることにより実現される。
【００１２】
第１の発明は、測定対象のデジタル無線通信装置から入力されたフレームに含まれるデータ列のビット誤りを測定するビット誤り測定システムにおいて、測定対象から入力されたフレームに含まれるデータ列のビット数をカウントし、所定のビット数に一致するごとにフレームパルス信号を出力するフレームパルス作成手段と、測定対象から入力されたフレームに含まれるデータ列のビット誤りを検出し、当該ビット誤りを検出するごとに、誤りパルス信号を出力するビット誤り検出手段とを備えたビット誤り測定装置と、フレームパルス信号と、誤りパルス信号とを関連付けて表示する信号表示装置とを備えたビット誤り測定システムである。
【００１３】
このように、フレームパルス作成手段により測定対象から入力されたフレームに含まれるデータ列のビット数がカウントされ、所定のビット数に一致するごとにフレームパルス信号が出力され、ビット誤り検出手段により測定対象から入力されたフレームに含まれるデータ列のビット誤りが検出され、当該ビット誤りが検出されるごとに誤りパルス信号が出力され、信号表示装置によりフレームパルス信号と、誤りパルス信号とが関連付けて表示されるので、所定のパルス数をフレーム内のビット数と同一にすることができるため、誤りパルス信号が周期的に発生するか否かによって、フレーム内の特定領域にビット誤りが発生しているのか又は外部からの雑音に起因してビット誤りが発生しただけなのかを識別することが出来る。
【００１４】
第２の発明は、第１の発明において、フレームパルス作成手段は、測定対象から入力されたフレームに含まれるデータ列のビット数をカウントし、当該カウント数が前記測定対象が用いているデジタル無線通信方式が定める１フレーム内のビット数に一致するごとにフレームパルス信号を出力するビット誤り測定システムである。
【００１５】
これにより、フレームパルス作成手段により測定対象から入力されたフレーム内のデータ列のビット数がデジタル無線通信方式で定められた１フレーム内のビット数になるまでカウントされるので、誤りパルス信号が周期的に発生するか否かによって、フレーム内の特定領域にビット誤りが発生しているのか又は外部からの雑音に起因してビット誤りが発生しただけなのかを識別することが出来る。
【００１６】
第３の発明は、第１の発明において、フレームパルス作成手段は、測定対象から入力されたフレームに含まれるデータ列のビット数をカウントする開始位置を特定するためのパルス信号を受け取り、当該開始位置からビット数をカウントし、当該カウント数がフレーム内の所定のビット数に一致するごとにフレームパルス信号を出力するビット誤り測定システムである。
【００１７】
これにより、フレームパルス作成手段により測定対象から入力されたフレームに含まれるデータ列のビット数をカウントする開始位置を特定するためのパルス信号が受け取られ、当該開始位置からビット数をカウントするので、フレーム周期でビット誤りが発生しているか否かによって、フレーム内の特定領域にビット誤りが発生しているのか又は外部からの雑音に起因してビット誤りが発生しただけなのかを識別することが出来るだけでなく、カウントの開始位置を送信するフレームの先頭部分にあわせることにより、フレーム内でビット誤りが発生した場合における、当該ビット誤りの発生位置を特定することが出来る。
【００１８】
第４の発明は、第１又は第２の発明において、信号表示装置は、各フレームパルス信号と各誤りパルス信号との発生タイミングを関連付けて表示するビット誤り測定システムである。
【００１９】
このように、第１の発明の作用と同様の作用を奏することが出来るのに加え、フレーム内でビット誤りが発生したか否かを目視で確認することが出来る。
【００２０】
第５の発明は、第４の発明において、ビット誤り検出手段から出力される誤りパルス信号を、フレーム内の各ビットに対応するように分配する分配手段と、分配手段で分配されたそれぞれの誤りパルス信号を計数するための各ビットごとに対応して設けられ、かつ、各ビットごとの誤りパルス信号の計数値を出力するカウンタとを備え、信号表示装置は、それぞれのカウンタの計数値を受け、フレームパルス信号とフレーム内の各ビットに対応する計数値とを関連付けて表示するビット誤り測定システムである。
【００２１】
このように、第４の発明と同様の作用を奏することが出来るのに加え、信号表示装置により、フレーム内の各ビットごとに対応して誤りパルス信号の計数値が表示されるので、ビット誤りの発生したフレーム内の位置が目視で確認出来る。
【００２２】
第６の発明は、第１ないし第３の何れか１つの発明において、フレームパルス作成手段が出力するフレームパルス信号と、ビット誤り検出手段が出力する誤りパルス信号とに基づいて、フレームごとのビット誤り率を算出するビット誤り率算出手段を備え、信号表示装置は、各フレームパルス信号と各誤りパルス信号とを関連付けて、かつ、誤りパルス信号をフレームごとのビット誤り率の値に対応して表示するビット誤り測定システムである。
【００２３】
このように、第１の発明と同様の作用を奏することが出来るのに加え、ビット誤り率を誤りパルス信号と対応付けて表示するので、ビット誤り率の時系列変化を目視で確認することが出来る。
【００２４】
【発明の実施の形態】
以下、本発明の各実施の形態について図面を参照して説明する。
【００２５】
＜第１の実施の形態＞
図１は、本発明の第１の実施の形態に係るビット誤り測定システムの構成例を示す機能ブロック図である。
【００２６】
本実施の形態に係るビット誤り測定システムは、デジタル無線通信装置１の受信性能試験に用いられるシステムであり、図２に示すように、デジタル無線通信装置１の入力側に試験信号発生器２を接続した状態で、当該デジタル無線通信装置１の出力側に接続されて使用される。
【００２７】
本実施の形態に係るビット誤り測定システムを用いた図２に示すビット誤り率測定構成図では、試験信号発生器２から出力された試験信号がデジタル無線通信装置１により復調され、当該復調された信号のヘッダ部分とＦＣＳとがデジタル無線通信装置１により除去され、当該ヘッダ部分とＦＣＳとが除去された図３に示すようなＰＮ符号列からなるデータ列がデジタル無線通信装置１から出力され、当該ビット誤り測定システム４に入力される。
【００２８】
本実施の形態に係るビット誤り測定システムは、図１に示すように、測定対象のデジタル無線通信装置１に接続されたフレームパルス作成部３Ａ１と、デジタル無線通信装置１に接続されたビット誤り検出部３Ｂ１と、フレームパルス作成部３Ａ１に接続された第１のカウンタ３Ｃと、ビット誤り検出部３Ｂ１に接続された第２のカウンタ３Ｄと、第１及び第２のカウンタ３Ｃ、３Ｄと個別に接続されたビット誤り率算出部３Ｅ１と、フレームパルス信号作成部３Ａ１とビット誤り検出部３Ｂ１とビット誤り率算出部３Ｅ１とにそれぞれ接続された信号表示装置４Ａ１とから構成されている。
【００２９】
フレームパルス作成部３Ａ１は、デジタル無線通信装置１から入力されたデータ列に含まれるビット数をカウントし、当該カウントされたビット数が予め定められたビット数、例えば、１フレーム相当のビット数に達するごとに、フレームパルス信号としてのパルス信号を、第１のカウンタ３Ｃと信号表示装置４Ａ１とに出力する。
【００３０】
ビット誤り検出部３Ｂ１は、デジタル無線通信装置１から入力されたフレームに含まれる送信データ本体（データ列）内のＰＮ符号列で表されるビット列を同一のＰＮ符号列と比較し、当該比較の結果として両者が一致しないごとに、ビット誤りが送信データ本体（データ列）内に発生したと判定し、誤りパルス信号としてのパルス信号を、第２のカウンタ３Ｄと信号表示装置４Ａ１とに出力する。
【００３１】
第１のカウンタ３Ｃは、フレームパルス作成部３Ａ１により出力されたパルス信号をカウントし、当該カウントしたパルス信号の数に相当する、ビット数に関するデータをビット誤り率算出部３Ｅ１に出力する。
【００３２】
第２のカウンタ３Ｄは、ビット誤りが発生した場合に、ビット誤り検出部３Ｂ１により出力されるパルス信号をカウントし、当該カウントしたパルス信号に相当する、ビット誤り数に関するデータをビット誤り率算出部３Ｅ１に出力ずる。
【００３３】
ビット誤り率算出部３Ｅ１は、第２のカウンタ３Ｄから出力されたビット誤り数を、第１のカウンタ３Ｃから出力されたビット数で除算することによりビット誤り率を算出し、当該ビット誤り率を信号表示装置４Ａ１に出力する。
【００３４】
なお、本実施の形態に係るビット誤り率算出部３Ｅ１は、第２のカウンタ３Ｄから出力されたビット誤り数を、第１のカウンタ３Ｃから出力されたビット数で除算することによりビット誤り率を算出していたが、これに限らず、ビット誤り率算出部３Ｅ１の有する内部クロックに同期して、第２のカウンタ３Ｄから出力されるビット誤り数をカウントし、当該内部クロックの１周期分に含まれるビット誤り数の割合として、ビット誤り率を算出してもよいことはいうまでもない。
【００３５】
信号表示装置４Ａ１は、フレームパルス作成部３Ａ１及びビット誤り検出部３Ｂ１から出力されたパルス信号を受け取り、誤りパルス信号を、フレームパルス信号をトリガとして画面上に表示すると共に、ビット誤り率算出部３Ｅ１から出力されたビット誤り率の数値を表示する。
【００３６】
このように、フレームパルス信号をトリガとして、誤りパルス信号を画面上に繰り返し表示することで、例えば図４に示すように、ビット誤り検出部３Ｂ１から出力されたパルス信号が同一位置に現れる場合にはフレーム内にビット誤りが発生しやすい部分があると目視で確認することが出来る。
【００３７】
一方、図５に示すように、ビット誤り検出部３Ｂ１から出力されたパルス信号がランダムな位置に現れる場合には、当該パルス信号を発生させた起因は、フレームなどの周期的な要因とは無関係であると推測することが出来る。
【００３８】
なお、前述した図４及び図５においては、説明をポイントのみに絞る観点から、ポイントに直接関係のないビット誤り率の数値表示に関しては、図示を省略している。
【００３９】
なお、本実施の形態に係る信号表示装置では、ビット誤り率の数値表示とフレームパルス信号をトリガとした誤りパルス信号の表示とを同一画面上に表示させていたが、これに限らず、信号表示装置に、フレームパルス信号と、各フレームごとに算出したビット誤り率のグラフ表示とを同一画面上で表示させてもよい。
【００４０】
上述したように、本実施の形態に係るビット誤り測定システムでは、フレームパルス作成部３Ａ１により測定対象から入力されたフレームに含まれるデータ列のビット数がカウントされ、当該カウント数が１フレームのビット数に達するごとにパルス信号が出力される一方、入力されたフレームに含まれるビット列と同一のＰＮ符号列とを比較することによって、ビット誤り検出部３Ｂ１により、フレーム内のデータ列のビット誤りが検出された場合に、パルス信号が出力され、第２のカウンタ３Ｄにより、当該パルス信号数がカウントされ、ビット誤り率算出部３Ｅ１により、当該ビット誤りの数がカウントされたビット数で除算されることにより、ビット誤り率が算出されると共に、信号表示装置４Ａ１にフレームパルス信号と誤りパルス信号との相対的な位置関係が表示されるので、フレームに含まれるビット数と同一の周期で周期的にビット誤りが発生しているか否かによって、フレームの特定領域でビット誤りが発生しているのか又は外部からの雑音に起因してビット誤りが発生したのかを識別することが出来る。
【００４１】
なお、本発明によると、図６に示すように、各フレームごとにビット誤り率を算出し、当該各フレームに関連させ、かつ誤りパルス信号をそのフレームのビット誤り率の値に対応して表示することが出来る。
【００４２】
すなわち、ビット誤り率算出部３Ｅ１は、フレームパルス作成部３Ａ１が出力するフレームパルス信号と、ビット誤り検出部３Ｂ１が出力する誤りパルス信号とに各フレームごとのビット誤り率を算出する。
【００４３】
信号表示装置は４Ａ１は、フレームパルス信号と各誤りパルス信号とを関連付けて、かつ各誤りパルス信号を各フレームごとのビット誤り率の値に対応して表示する。
【００４４】
図６では、デジタル無線通信装置１から入力された送信データのビット誤りが、時間とともに少なくなっていることが目視で確認することが出来る。
【００４５】
つまり、デジタル無線通信装置１の電源投入時から、又はデジタル無線通信装置の移動に伴う、回線切替時等からのビット誤り率の時間経過を確認することが出来る。図示しないが、スタート位置検出回路からの出力信号により、それらの時間経過をフレームパルスに関連して表示することが出来る。
【００４６】
＜第２の実施の形態＞
図６は、本発明の第２の実施の形態に係るビット誤り測定システムの構成例を示す機能ブロック図である。
【００４７】
なお、前述した図面と同一の部分には、同一符号を付してその詳細な説明を省略し、ここでは主として異なる部分に関して説明する。
【００４８】
本実施の形態に係るビット誤り測定システムは、測定対象のデジタル無線通信装置１に接続されたスタート位置検出回路３Ｇと、当該スタート位置検出回路３Ｇとデジタル無線通信装置１とに個別に接続されたフレームパルス作成部３Ａ２と、デジタル無線通信装置１に接続されたビット誤り検出部３Ｂ２と、フレームパルス作成部３Ａ２に接続された第１のカウンタ３Ｃと、ビット誤り検出部３Ｂ２に接続された第２のカウンタ３Ｄと、当該第１のカウンタ３Ｃ及び第２のカウンタ３Ｄに、個別に接続されたビット誤り率算出部３Ｅ２と、フレーム内の各ビットに対応して設けられ、かつ、フレームパルス作成部３Ａ２にそれぞれ接続された分配回路３Ｈと、当該分配回路３Ｈにそれぞれ個別に接続された複数の（ｎ個）のカウンタ（３Ｉ０〜３Ｉｎ）と、当該各カウンタ及び前述のビット誤り率算出部３Ｅ２に接続された信号表示装置４Ａ２とから構成される。
【００４９】
なお、第１のカウンタ３Ｃと、第２のカウンタ３Ｄとに関しては、第１の実施の形態と同様であるので、ここでは、それらの説明は省略する。
【００５０】
スタート位置検出回路３Ｇは、デジタル無線通信装置１を介して図示しない試験信号装置２から出力された、フレームの先頭部分を特定するための先頭パルスを、カウントの開始位置として検出し、当該開始位置の検出時に、パルス信号をフレームパルス作成部３Ａ２に出力する。
【００５１】
フレームパルス作成部３Ａ２は、デジタル無線通信装置１から送信されたフレームに含まれるデータ列をカウントする、カウントの開始位置を特定するためのパルス信号を、スタート位置検出回路３Ｇから受け取り、当該開始位置からデータ列に含まれるビット数をカウントし、当該カウントされたビット数が、予め定められたビット数、例えば、１フレーム相当のビット数に達するごとに、パルス信号を分配回路３Ｈに出力する。
【００５２】
ビット誤り検出部３Ｂ２は、第１の実施の形態と同様の手法によりビット誤りを検出し、当該ビット誤りの検出時に、パルス信号を分配回路３Ｈに出力する。
【００５３】
分配回路３Ｈは、ビット誤り検出部３Ｂ２から出力されたパルス信号を、各第３のカウンタ３Ｉ０〜３Ｉｎの何れかに送信する。当該パルス信号の出力先であるカウンタは、クロック入力に同期して順次インクリメントされ、フレームパルス信号が入力されると、カウンタ３Ｉ０に戻る。
【００５４】
各第３のカウンタ３Ｉ０〜３Ｉｎは、１フレーム内の各ビットに対応して設けられており、当該分配回路３Ｈから、パルス信号が入力された数をカウントする。このようにカウントしたビット誤りの数（計数値）を信号表示装置４Ａ２に出力する。
【００５５】
信号表示装置４Ａ２は、各第３のカウンタ（３Ｉ０〜３Ｉｎ）から出力された、各ビットに対応するビット誤りと、フレームパルス作成部３Ａ２から出力されるパルス信号を元に、ビット数と、ビット誤りに関するデータと、ビット誤り率とを出力する。
【００５６】
なお、当該信号表示装置４Ａ２は、入力されたビット数と、ビット誤りに関するデータと、ビット誤り率とを図８に示すように、同一画面上で、１周期ごとのビット誤りをフレーム内の位置ごとに表示する。
【００５７】
なお、当該図８においては、説明をポイントのみに絞る観点から、ポイントに直接関係のないビット誤り率の数値表示に関しては、記載を省略している。
【００５８】
例えば図８に示す例では、（ｂ）に示す区間と、（ｃ）に示す区間との（ａ）に示す区間のデータに重ね合わせている。これにより、点Ｄの位置に該当するフレーム内のビットで、ビット誤りが発生しやすい可能性があると、推察することが出来ることになる。
【００５９】
なお、本実施の形態に係るビット誤り測定システムでは、信号表示装置４Ａ２に度数分布表示させたが、これに限らず、第１の実施の形態と同様に、両パルス信号を同一画面上で表示させてもよいことはいうまでもない。
【００６０】
この場合、本実施の形態に係る信号表示装置４Ａ２に第１の実施の形態に係る信号表示装置４Ａ１と同様の機能を持たせてもよいことはいうまでもない。
【００６１】
なお、本実施の形態では、フレーム内の位置ごとに、ビット誤りを加えることにより、度数分布表示させていたが、これに限らず、信号表示装置４Ａ２は、フレーム内の各位置ごとのビット誤り率を表示させるようにしてもよいことはいうまでもない。
【００６２】
この場合、本実施の形態に係るビット誤り率算出部に、信号表示装置から出力された各ビットごとのビット誤り数に関するデータを、第１のカウンタによりカウントされた総ビット数で除算することにより、各ビットにおけるビット誤り率を算出する機能を持たせてもよいし、本実施の形態に係る信号表示装置に、各ビットごとのビット誤り数のデータを、第１のカウンタによりカウントされた総ビット数で除算することにより、ビットごとのビット誤り率を算出する機能を持たせてもよい。
【００６３】
なお、本実施の形態に係るビット誤り測定システムでは、入力されたデータ列と、フレームの先頭部分とを調整する観点から、遅延回路をフレームパルス作成部３Ａ２の前段又は後段に付加していてもよいことはいうまでもない。
【００６４】
上述したように本実施の形態によれば、第１の実施の形態に係る効果に加え、スタート位置検出回路３Ｇにより、外部のデジタル無線通信装置１から入力されたカウントの開始位置を特定するためのパルス信号がフレームパルス作成部３Ａ２に出力され、当該パルス信号によりフレームパルス作成部３Ａ２がビット数をカウントするためのカウントの開始位置としてフレーム内の先頭部分を特定することができるので、フレーム内でのビット誤りの発生位置を知ることが出来る。
【００６５】
本実施の形態によれば、フレーム内でのビット誤りの発生位置が特定できるので、ビット誤りの発生の偏りを検証することが出来る。
【００６６】
なお、本発明は、上記各実施の形態に限定されるものでなく、実施段階ではその要旨を逸脱しない範囲で、種々に変形することが可能である。
【００６７】
また、各実施の形態は、可能な限り適宜組み合わせて実施してもよく、その場合、組み合わされた効果が得られる。さらに、上記各実施の形態には、種々の段階の発明が含まれており、開示されている複数の構成要件における適宜な組み合わせにより種々の発明が抽出され得る。例えば、実施の形態に示されている全構成要件から幾つかの構成要件が省略されることで発明が抽出された場合には、その抽出された発明を実施する場合には、省略部分が周知慣用技術で適宜補われるものである。
【００６８】
その他、本発明は、その要旨を逸脱しない範囲で種々変形して実施できる。
【００６９】
【発明の効果】
以上詳述したように本発明によれば、フレーム内の特定領域にビット誤りが発生したのか又は外部からの影響に起因してビット誤りが発生しただけなのかを識別することを可能にする、ビット誤り測定システムを提供出来る。
【図面の簡単な説明】
【図１】本発明の第１の実施の形態に係るビット誤り測定システムの構成例を示す機能ブロック図。
【図２】本実施の形態に係るビット誤り測定システムを用いたビット誤り率測定構成図。
【図３】本実施の形態に係るデータ列の一例を示す模式図。
【図４】本実施の形態に係る信号表示装置のパルス信号の表示の様子の一例を示す模式図。
【図５】本実施の形態に係る信号表示装置のパルス信号の表示の様子の一例を示す模式図。
【図６】本実施の形態に係る信号表示装置のパルス信号の表示の様子の一例を示す模式図。
【図７】本発明の第２の実施の形態に係るビット誤り測定システムの構成例を示す機能ブロック図。
【図８】本実施の形態に係るビット誤り測定システムの信号表示装置におけるビット誤りの度数分布表示の様子の一例を示す模式図。
【符号の説明】
１…デジタル無線通信装置
２…試験信号発生器
３…ビット誤り測定装置
３Ａ１…フレームパルス作成部
３Ａ２…フレームパルス作成部
３Ｂ１…ビット誤り検出部
３Ｂ２…ビット誤り検出部
３Ｃ…第１のカウンタ
３Ｄ…第２のカウンタ
３Ｅ１…ビット誤り率算出部
３Ｅ２…ビット誤り率算出部
３Ｇ…スタート位置検出回路
３Ｈ…分配回路
３Ｉ０〜３Ｉｎ…カウンタ
４…ビット誤り測定システム
４Ａ１…信号表示装置
４Ａ２…信号表示装置
【図１】
2004128981.tif 000003
【図２】
2004128981.tif 000004
【図３】
2004128981.tif 000005
【図４】
2004128981.tif 000006
【図５】
2004128981.tif 000007
【図６】
2004128981.tif 000008
【図７】
2004128981.tif 000009
【図８】
2004128981.tif 000010